(57)【要約】【課題】避難した人々のプライバシーが守られる壁によって間仕切りされた空間が構築でき、しかも簡易に組み立てられ、また避難指令が解除された際には速やかに解体して片づけられるような組み立て式の仮設壁構造物用の間仕切り用パネルを提供すること。【解決手段】その端部方向で互いに連結して間仕切りされた空間を構築するために使用される段ボール製の仮設壁構造物用の間仕切り用パネルにおいて、平行に対向配置された短辺３と、短辺３と直交し平行に対向配置された長辺４とから構成される長方形の本体２を備えるようにし、本体２の対角線位置となる角部位置には前記第１の対向辺から外方に張り出す張り出し部５を形成し、張り出し部５の幅を短辺３の長さの１／２とする一方、張り出し部５の内側方には短辺３に沿って延出するフック片６を形成させ、フック片６と短辺３とのスリット７間隔を前記本体の厚みの２倍前後又は３倍前後とした。【選択図】  図１
0003164811.tif 000002
【実用新案登録請求の範囲】
【請求項１】
その端部方向で互いに連結して間仕切りされた空間を構築するために使用される段ボール製の仮設壁構造物用の間仕切り用パネルにおいて、
平行に対向配置された第１の対向辺と、同第１の対向辺と直交し平行に対向配置された第２の対向辺とから構成される方形の本体を備え、同本体の対角線位置となる角部位置には前記第１の対向辺から外方に張り出す張り出し部を形成し、同張り出し部の幅を前記第１の対向辺の長さの１／２とする一方、前記張り出し部の内側方には前記第１の対向辺に沿って延出するフック片を形成させ、同フック片と前記第１の対向辺とのスリット間隔を前記本体の厚みの２倍前後又は３倍前後としたことを特徴とする仮設壁構造物用の間仕切り用パネル。
【請求項２】
前記本体の角部位置及び前記張り出し部の前記本体の角部位置近傍にはそれぞれ表裏方向に貫通された結束部材で連結するための連結孔が形成されていることを特徴とする請求項１に記載の仮設壁構造物用の間仕切り用パネル。
【請求項３】
前記本体の幅方向中央位置には表裏方向に貫通された結束部材で連結するための連結孔が形成されていることを特徴とする請求項２に記載の仮設壁構造物用の間仕切り用パネル。
【考案の詳細な説明】
【技術分野】
【０００１】
本考案は災害時に災害から避難した人々が一時手的に住まいするために収容施設（例えば、学校の体育館、公民館等）内に配設して壁によって間仕切りした組み立て式仮設壁構造物を構築するために使用される間仕切り用パネルに関するものである。
【背景技術】
【０００２】
台風や地震等の災害時において避難指令が出た際に避難した人々は避難所として学校の体育館、公民館のような施設に一時的に収容されるのが一般的である。
【考案の開示】
【考案が解決しようとする課題】
【０００３】
しかし、収容施設内ではなかなかプライバシーが確保されない。体育館などではオープンスペースに家族毎に寄り集まって自分らの寝場所や家財を置く場所を確保するのが精一杯であって、気軽に着替えや話ができないものである。そのため、従来から避難した人々のプライバシーが守られる壁によって間仕切りされた空間が構築でき、しかも簡易に組み立てられ、また避難指令が解除された際には速やかに解体して片づけられるような組み立て式の仮設壁構造物が望まれていた。そのため本考案ではこのような仮設壁構造物用に好適な間仕切り用パネルを提案する。
【課題を解決するための手段】
【０００４】
第１の手段では、その端部方向で互いに連結して間仕切りされた空間を構築するために使用される段ボール製の仮設壁構造物用の間仕切り用パネルにおいて、平行に対向配置された第１の対向辺と、同第１の対向辺と直交し平行に対向配置された第２の対向辺とから構成される方形の本体を備え、同本体の対角線位置となる角部位置には前記第１の対向辺から外方に張り出す張り出し部を形成し、同張り出し部の幅を前記第１の対向辺の長さの１／２とする一方、前記張り出し部の内側方には前記第１の対向辺に沿って延出するフック片を形成させ、同フック片と前記第１の対向辺とのスリット間隔を前記本体の厚みの２倍前後又は３倍前後としたことをその要旨とする。
第２の手段では第１の手段に加え、前記本体の角部位置及び前記張り出し部の前記本体の角部位置近傍にはそれぞれ表裏方向に貫通された結束部材で連結するための連結孔が形成されていることをその要旨とする。
第３の手段では第２の手段に加え、前記本体の幅方向中央位置には表裏方向に貫通された結束部材で連結するための連結孔が形成されていることをその要旨とする。
【考案の効果】
【０００５】
上記各請求項の考案では、複数の間仕切り用パネルを用意し、互いのフック片を相手のスリットに差し込むようにして組み合わせていくだけで簡単に仮設壁構造物を構築することができるため、これによって簡易的に多くの部屋を構築することができ、また解体することも容易であるため災害時の避難用の設備を構造物を構築する間仕切り用パネルとして最適である。
【図面の簡単な説明】
【０００６】
【図１】本考案の実施例の間仕切り用パネルの正面図。
【図２】本実施例の間仕切り用パネルを十字に組み合わせた一例を説明する要部拡大斜視図。
【図３】本実施例の間仕切り用パネルを複数使用して組み立てた仮設壁構造物の一例の斜視図。
【考案を実施するための最良の形態】
【０００７】
以下、本考案における間仕切り用パネルを具体化した一実施例を図面に基づいて説明する。
図１に示すよう段ボール製の間仕切り用パネル１は長方形形状の本体２を備えている。本体２は左右に配置される第１の対向辺としての短辺３と上下に配置される第２の対向辺としての長辺４によって外形が画定されている。左右の短辺３にはそれぞれちょうど対角線位置となる角部位置に外方に張り出す張り出し部５が形成されている。張り出し部５の幅はちょうど短辺３の長さの半分とされている。張り出し部５の内側方、つまり反対側の角部方向を向いた側方にはフック片６が形成されている。フック片６の先端は面取りされている。フック片６が形成されることでフック片６と短辺３との間にはスリット７が形成される。スリット７の幅は本実施例では間仕切り用パネル１の厚み（本実施例では５．５ｍｍ）の３倍とされている。張り出し部５は短辺３を延長した折れ線Ｐに沿って折れ曲がり可能とされている。折れ線Ｐは間仕切り用パネル１製造当初には形成されていなくとも構わず、間仕切り用パネル１の使用とともに、必然的に折れ線Ｐに沿った折れ目が形成されるようになる。
【０００８】
間仕切り用パネル１には結束用の連結孔９、１０、１１が形成されている。第１の連結孔９は本体２の角部位置に４つ形成され、第２の連結孔１０は張り出し部５に２つ形成され、第３の連結孔１１は本体２の長手方向中央位置に４つ形成されトータルで連結孔９、１０、１１は１０個とされている。本体２の角部に形成された第１の連結孔９は上下反転した際にも孔が同じ位置に照合されるように短辺３及び長辺４（張り出し部５側の角位置の連結孔９は長辺４の延長線）からいずれも等距離に配置されている。張り出し部５に形成された第２の連結孔１０は隣接する第１の連結孔９と折れ線Ｐを挟んで鏡像となる位置に配置されている。第３の連結孔１１は長手方向中央位置であって第１及び第２の連結孔９、１０の長辺４からのオフセット位置と同じオフセット位置に２つ一組として形成されている。第３の連結孔１１の上下の各組みの対応する第３の連結孔１１は上下方向において同じ垂線上に配置される位置関係とされている。
【０００９】
このような構成において、仮設壁構造物を構築する工程の一例を説明する。間仕切り用パネル１は基本的に十字形状あるいはＴ字形状あるいはＬ字形状に連結されることとなる。常に上下を反転された９０度延出方向の異なる隣接した間仕切り用パネル１同士の互いのフック片６を相手のスリット７に挿入するように組み立てていく。十字形状を構築する場合ではうまく公平な挿入関係が成立できれば１つのスリット７に２枚の間仕切り用パネル１が挟まれることとなるが、公平に配分しない場合には１つのスリット７に３枚の間仕切り用パネル１が挟まれることもある。図２は１つのスリット７に２枚の間仕切り用パネル１が挟まれて十字形状が構築されている状態である。所望の連結状態で同一高さに配置された連結孔９、１０に対して結束バンド１３によって連結部分を固定する。
また、間仕切り用パネル１の正面に対して間仕切り用パネル１の張り出し部５を９０度折り曲げて、第１及び第２の連結孔９、１０と第３の連結孔１１とを結束バンド１３によって連結することでフック片６とスリット７との関係を使用せずに固定することも可能である。複数の間仕切り用パネル１を連結したある１つのパターンを図３に示す。
【００１０】
このような構成の間仕切り用パネル１を使用すれば、同じ間仕切り用パネル１を複数用意して、結束部材によって連結することで簡易的に仮設壁構造物として多くの部屋を簡単に構築することができまた解体することも容易であるため災害時の避難用の設備として最適である。
【００１１】
なお、この発明は，次のように変更して具体化することも可能である。
・上記の組み立て例は一例であって、他の連結方法で仮設壁構造物を構築することは可能である。
・間仕切り用パネル１の形状は上記に限定されるものではない。相互に連結して上記の仮設壁構造物が構築できるのであれば同一性のある間仕切り用パネルと考えることが可能である。
・間仕切り用パネル１は上記以外の形状のものを使用することも可能である。
・スリット７の幅はきっちりと本体２の幅の３倍でなくともよい。つまり、それほどの精度は要求されず３倍前後という程度で構わない。スリット７の幅が若干大きくとも、組み立て作業や実際の使用において特段の不便があるわけではなく、しっかりした連結が必要な場合では結束バンド１３を使用することで実現可能だからである。また、逆にスリット７の幅が多少きつめでもよいのは、間仕切り用パネル１は段ボール製なので若干の可撓性があるため、３枚重ねの間仕切り用パネル１を１つのスリット７に挿入させることは可能であるからである。
・上記のように、１つのスリット７に２枚の間仕切り用パネル１を挟むという前提の組み立て（連結）の場合にはスリットの間隔を本体２の幅の２倍前後とすることも可能である。
その他、本発明の趣旨を逸脱しない態様で実施することは自由である。
【符号の説明】
【００１２】
１…間仕切り用パネル、２…本体、３…第１の対向辺としての短辺、４…第２の対向辺としての長辺、５…張り出し部、６…フック片、７…スリット。
【図１】
0003164811.tif 000003
【図２】
0003164811.tif 000004
【図３】
0003164811.tif 000005